(57)【要約】      （修正有）【課題】安価かつ取り扱いが容易で、地表やビル屋上に堅牢に固定可能な太陽光発電モジュールの設置架台構造を提供する。【解決手段】複数の長尺柱部材６の上端と複数の短尺柱部材７の上端との間に、地表Ｇから所定角度傾斜して架け渡された梁部材９上に複数の桟部材を直交して配置し、各桟部材上にパネル状の複数の太陽光発電モジュールＭｊを敷設する。そして、アンカー４を地盤に打ち込んで各コンクリートブロック１を固定することによって架台全体を地表Ｇに安定的に固定することができ、従来のように特殊な固定手段を別途必要とせず、安価かつ取り扱いが容易で、地面に堅牢に太陽光発電モジュールの設置架台を固定できる。【選択図】図３
0003187095.tif 000002
【実用新案登録請求の範囲】
【請求項１】
複数枚の太陽光発電モジュールを地表の所定の設置箇所に固定設置するための太陽光発電モジュールの設置架台構造において、
複数個のコンクリートブロックを地表に少なくとも２行Ｎ列（Ｎは自然数）のマトリクス状に設置して成る基礎ブロック部と、
前記基礎ブロック部の前記各コンクリートブロックそれぞれの下部に複数形成された透孔に挿通されて地盤に打ち込まれ前記各コンクリートブロックを固定するアンカーと、
前記基礎ブロック部の一方行の前記各コンクリートブロック上にそれぞれ立設された複数の長尺柱部材と、
前記基礎ブロック部の他方行の前記各コンクリートブロック上にそれぞれ立設された複数の短尺柱部材と、
前記各長尺柱部材の上端それぞれと前記各短尺柱部材の上端それぞれとの間に架け渡され地表から所定角度傾斜して前記行方向に直交方向に配置された複数の梁部材と、
前記各梁部材上に前記行方向に平行方向に配置された複数の桟部材とを備え、
前記各桟部材上にパネル状の複数の太陽光発電モジュールが敷設されることを特徴とする太陽光発電モジュールの設置架台構造。
【請求項２】
複数枚の太陽光発電モジュールをコンクリート構造物の所定の設置箇所に固定設置するための太陽光発電モジュールの設置架台構造において、
前記コンクリート構造物のコンクリートが露出した前記設置箇所に配置される短い筒状の枠部材と、該枠部材の内部に充填されたモルタル中に埋設された金属製の補強部材と、該補強部材の中心部にその先端部分が前記モルタルから外部に露出して立設されたボルトとを有するブロック体であって、複数個の前記ブロック体を前記設置箇所に少なくとも２行Ｎ列（Ｎは自然数）のマトリクス状に配置し固定して成る基礎ブロック部と、
前記各行ごとの前記各ブロック体間に架け渡され前記各ブロック体の前記ボルトに締結固定された２本の基礎レールと、
一方の前記基礎レール上にそれぞれ立設された複数の長尺柱部材と、
他方の前記基礎レール上にそれぞれ立設された複数の短尺柱部材と、
前記各長尺柱部材の上端それぞれと前記各短尺柱部材の上端それぞれとの間に架け渡され前記設置箇所の表面から所定角度傾斜して前記行方向に直交方向に配置された複数の梁部材とを備え、
前記各梁材上にパネル状の複数の太陽光発電モジュールが敷設されることを特徴とする太陽光発電モジュールの設置架台構造。
【考案の詳細な説明】
【技術分野】
【０００１】
この考案は、複数枚の太陽光発電モジュールを所定の設置箇所に固定設置するための太陽光発電モジュールの設置架台構造に関する。
【背景技術】
【０００２】
近年、再生可能エネルギー資源である太陽光を利用した太陽光発電が注目され、空き地のほか、家屋の屋根やビルの屋上などに太陽光発電モジュールを設置することが行われている。一般の家屋の場合、そもそも屋根に傾斜があるため、屋根の傾斜に沿って太陽光を受け易い向きに複数枚の太陽電池からなる太陽光発電モジュールを所要数設置するのが一般的である。
【０００３】
これに対し、地表や、ビル屋上等のいわゆる陸屋根といった平坦な設置個所にパネル状の太陽光発電モジュールを設置する場合、太陽光発電モジュールを一定の傾斜角度に保持して設置するために専用の設置用架台が使用される。日本の場合、最も効率の良い発電を実現するには、日当たりや融雪効果等を考慮して、太陽光発電モジュールを水平な設置面から約３０゜の傾斜角度に保持することが望ましいとされている。
【０００４】
そこで、例えば特許文献１に記載のように、ＦＲＰ製の３つの基台を一列に配置してこれらを１組とし、もう１組を所定間隔で平行に配置し、各組の基台のうち隣接する基台間に、ＦＲＰ製の長尺のＨ型の土台部材を架け渡して２本の土台部材を長さ方向に接続して当該組の基台上に固定するとともに、一方組の基台上の土台部材に一定間隔で複数の柱部材を立設し、これら各柱部材と他方組の基台上の土台部材との間に傾斜支持部材を複数架け渡してそれぞれを補強部材で補強することにより、太陽光発電モジュールの設置架台を形成し、このような設置架台の各傾斜支持部材上に太陽光発電モジュールを取り付け設置することが提案されている。
【先行技術文献】
【特許文献】
【０００５】
【特許文献１】特開２０１２−９４６０７号公報（段落００１４〜００１７および図１〜図３参照）
【考案の概要】
【考案が解決しようとする課題】
【０００６】
しかし、太陽光発電モジュールは地表に限らずビルの屋上に設置されることもあり、上記した特許文献１に記載された構成の設置架台の場合、ＦＲＰ製の基台を地表やビル屋上に設置することになるが、基台を単に設置しただけでは強風による荷重や地震の揺れなどに耐えて安定して太陽光発電モジュールを支持することができないため、強風による荷重や地震の揺れに耐え得るようにするには、各基台を地盤やビル屋上に固定する特殊な固定手段を別途準備し、固定手段を基台に取り付けるのに基台に改良を加える必要が生じるため、部材数の増加に伴うコストの上昇や組み立て工数の増加を招くというという問題がある。
【０００７】
この考案は上記課題に鑑みなされたものであり、安価かつ取り扱いが容易で、地表やビル屋上に堅牢に固定可能な太陽光発電モジュールの設置架台構造を提供することを目的とする。
【課題を解決するための手段】
【０００８】
上記した目的を達成するために、本考案の太陽光発電モジュールの設置架台構造は、複数枚の太陽光発電モジュールを地表の所定の設置箇所に固定設置するための太陽光発電モジュールの設置架台構造において、複数個のコンクリートブロックを地表に少なくとも２行Ｎ列（Ｎは自然数）のマトリクス状に設置して成る基礎ブロック部と、前記基礎ブロック部の前記各コンクリートブロックそれぞれの下部に複数形成された透孔に挿通されて地盤に打ち込まれ前記各コンクリートブロックを固定するアンカーと、前記基礎ブロック部の一方行の前記各コンクリートブロック上にそれぞれ立設された複数の長尺柱部材と、前記基礎ブロック部の他方行の前記各コンクリートブロック上にそれぞれ立設された複数の短尺柱部材と、前記各長尺柱部材の上端それぞれと前記各短尺柱部材の上端それぞれとの間に架け渡され地表から所定角度傾斜して前記行方向に直交方向に配置された複数の梁部材と、前記各梁部材上に前記行方向に平行方向に配置された複数の桟部材とを備え、前記各桟部材上にパネル状の複数の太陽光発電モジュールが敷設されることを特徴としている（請求項１）。
【０００９】
また、本考案の太陽光発電モジュールの設置架台構造は、複数枚の太陽光発電モジュールをコンクリート構造物の所定の設置箇所に固定設置するための太陽光発電モジュールの設置架台構造において、前記コンクリート構造物のコンクリートが露出した前記設置箇所に配置される短い筒状の枠部材と、該枠部材の内部に充填されたモルタル中に埋設された金属製の補強部材と、該補強部材の中心部にその先端部分が前記モルタルから外部に露出して立設されたボルトとを有するブロック体であって、複数個の前記ブロック体を前記設置箇所に少なくとも２行Ｎ列（Ｎは自然数）のマトリクス状に配置し固定して成る基礎ブロック部と、前記各行ごとの前記各ブロック体間に架け渡され前記各ブロック体の前記ボルトに締結固定された２本の基礎レールと、一方の前記基礎レール上にそれぞれ立設された複数の長尺柱部材と、他方の前記基礎レール上にそれぞれ立設された複数の短尺柱部材と、前記各長尺柱部材の上端それぞれと前記各短尺柱部材の上端それぞれとの間に架け渡され前記設置箇所の表面から所定角度傾斜して前記行方向に直交方向に配置された複数の梁部材とを備え、前記各梁材上にパネル状の複数の太陽光発電モジュールが敷設されることを特徴としている（請求項２）。
【考案の効果】
【００１０】
請求項１に係る考案によれば、少なくとも２行Ｎ列（Ｎは自然数）のマトリクス状に複数個のコンクリートブロックを地表に設置して基礎ブロック部を形成し、アンカーを地盤に打ち込んで各コンクリートブロックを固定し、各長尺柱部材の上端と各短尺柱部材の上端との間に、地表から所定角度傾斜して架け渡された各梁部材上に複数の桟部材を配置し、各桟部材上にパネル状の複数の太陽光発電モジュールを敷設するようにしたため、アンカーを地盤に打ち込んで各コンクリートブロックを固定することによって架台全体を地表に安定的に固定することができ、従来のように特殊な固定手段を別途必要とせず、安価かつ取り扱いが容易で、地面に堅牢に太陽光発電モジュールの設置架台を固定することが可能になる。
【００１１】
請求項２に係る考案によれば、複数個のブロック体を少なくとも２行Ｎ列（Ｎは自然数）のマトリクス状にコンクリート構造物の所定の設置箇所に固定設置して基礎ブロック部を形成し、各行ごとの各ブロック体間に架け渡されて固定された基礎レールに長尺柱部材および短尺柱部材を複数立設し、これら各長尺柱部材の上端と各短尺柱部材の上端との間に設置箇所の表面から所定角度傾斜して架け渡された各梁部材上にパネル状の複数の太陽光発電モジュールを敷設するようにしたため、コンクリート構造物のコンクリートが露出した設置箇所に、モルタルによって各ブロック体を固定することで架台全体を地面に安定的に固定することができ、従来のように特殊な固定手段を別途必要とせず、安価かつ取り扱いが容易で、コンクリート構造物の所定設置箇所に堅牢に太陽光発電モジュールの設置架台を固定することが可能になる。
【図面の簡単な説明】
【００１２】
【図１】本考案に係る太陽光発電モジュールの設置架台構造の第１実施形態を示す平面図である。
【図２】第１実施形態の正面図である。
【図３】第１実施形態の左側面図である。
【図４】図１のコンクリートブロックの平面図である。
【図５】図１のコンクリートブロックの正面図である。
【図６】図１のコンクリートブロックの左側面図である。
【図７】図１のアンカーを示し、（ａ）は斜視図、（ｂ）はＲ部分の拡大図である。
【図８】本考案に係る太陽光発電モジュールの設置架台構造の第２実施形態を示す平面図である。
【図９】第２実施形態の正面図である。
【図１０】第２実施形態の左側面図である。
【図１１】図８のブロック体の平面図である。
【図１２】図８のブロック体の正面図である。
【図１３】図８のブロック体の固定工程の説明図である。
【図１４】第１の変形例の一部を示し、（ａ）は左側面図、（ｂ）は平面図、（ｃ）は正面図である。
【図１５】第１の変形例の他の一部を示し、（ａ）は左側面図、（ｂ）は平面図、（ｃ）は正面図である。
【図１６】第１の変形例の全体を示し、（ａ）は左側面図、（ｂ）は平面図、（ｃ）は正面図である。
【図１７】第２の変形例の一部を示し、（ａ）は左側面図、（ｂ）は平面図、（ｃ）は正面図である。
【図１８】第２の変形例の異なる一部を示し、（ａ）は左側面図、（ｂ）は平面図、（ｃ）は正面図である。
【図１９】第２の変形例の全体を示し、（ａ）は左側面図、（ｂ）は平面図、（ｃ）は正面図である。
【考案を実施するための形態】
【００１３】
（第１実施形態）
本考案に係る太陽光発電モジュールの設置架台構造の第１実施形態について、図１ないし図７を参照して説明する。なお、図１ないし図３はそれぞれ組み立て状態における設置架台の平面図、正面図、左側面図、図４ないし図６はそれぞれコンクリートブロックの平面図、正面図、左側面図、図７はアンカーを示す。
【００１４】
本考案に係る太陽光発電モジュールの設置架台構造は地表に設置するタイプであり、図１ないし図３に示すように、側面視が凸形状を有するコンクリートブロック１が予め複数個準備されて所定の設置場所に運ばれ、これらのコンクリートブロック１が、例えば２行Ｎ列（Ｎは自然数）のマトリクス状に地表Ｇに設置されて基礎ブロック部２が形成され、これら各コンクリートブロック１の下部四隅に図４に示すように透設された透孔１ａに、アンカー４が挿通されて地盤に打ち込まれ、各コンクリートブロック１が固定される。
【００１５】
そして、基礎ブロック部２の一方の行の各コンクリートブロック１上に、断面四角形の長尺柱部材６が１本ずつ立設されるとともに３列目ごとのコンクリートブロック１上には２本立設され、基礎ブロック部２の他方の行の各コンクリートブロック１上に、長尺柱部材６と同様、断面四角形の短尺柱部材７が１本ずつ立設されるとともに３列目ごとのコンクリートブロック１上には２本立設される。
【００１６】
さらに、各列毎に、長尺柱部材６の上端と短尺柱部材７の上端との間に、各列における２個のコンクリートブロック１の間隔よりも長い断面四角形の梁部材９が架け渡されて両柱部材６，７にボルト等により固定され、行方向に直交方向に配置された各列毎の梁部材９が、地表から所定角度（例えば、３０度）傾斜して配置され、各梁部材９上に行方向に平行な断面円形の桟部材１０が複数配置されて各梁部材９にボルト等により固定され、これら各桟部材１０上にパネル状の複数の太陽光発電モジュールＭｊが配列状態で敷設される。
【００１７】
ところで、コンクリートブロック１を地盤の固定するアンカー４は、例えば図７（ａ），（ｂ）に示すように構成されている。すなわち、アンカー本体４ａと、アンカー本体４ａの下端付近に取り付けられた２つのＥリング４ｂ，４ｃと、引き抜き防止金具４ｄとを有している。これらのうちアンカー本体４ａは、上下方向Ｘに延びる丸棒状の鋼材を加工してなり、その下端部には先行して地盤中に打ち込まれる尖頭４ｅを有し、上端にはコンクリートブロック１の透孔１ａに挿入可能なアンカー本体４ａよりも径大の柱状部４ｆを有し、この柱状部４ｆの頭部分をハンマーで叩くことによりアンカー４が地盤に打ち込まれる。
【００１８】
そして、アンカー本体４ａの下端寄りに上下に少し離間して形成された円環溝４ｇ，４ｈに、上記したＥリング４ｂ，４ｃがそれぞれ嵌着され、引き抜き防止金具４ｄがＥリング４ｂ，４ｃの間でアンカー本体４ａの尖頭４ｅの少し上の位置に配設されることにより、上下方向Ｘにおける引き抜き防止金具４ｄの可動範囲が規定される。
【００１９】
ところで、引き抜き防止金具４ｄは、地盤中に先端の尖頭４ｅと一体的に地盤中に入り込んで地盤中に埋設されることによってアンカー本体４ａに引抜抵抗を与えるものであり、金属材料で構成されている。すなわち、引き抜き防止金具４ｄは、図７（ｂ）に示すように、中心部に円形の貫通孔を有するドーナツ盤状の基部４ｄ１と、該基部４ｄ１の外周縁に繋がる４つの羽根部材４ｄ２とを有し、基部４ｄ１と各羽根部材４ｄ２とが繋がっている部分において、略十字形状のバネ鋼板の羽根部分を上向きに折り曲げることにより引き抜き防止金具４ｄが形成されている。
【００２０】
このような引き抜き防止金具４ｄでは、基部４ｄ１に対してアンカー本体４ａの先端の反対側（図１の上側）で、基部４ｄ１および４枚の羽根部材４ｄ２で囲まれる捕集空間ＣＳが形成され、アンカー４を地盤に打ち込んだときに、隣接する羽根部材４ｄ２間の隙間４ｄ３から捕集空間ＣＳに流入する地盤中の土石を引き抜き防止金具４ｄで捕集することができ、補修した土石をアンカー４の引き抜き時の抵抗として利用し、地震などによる揺れが生じてもアンカー４が地盤から容易に抜けることを阻止し、コンクリートブロック１の地表Ｇにおける設置状態を安定的に保持するようになっている。なお、羽根部材４ｄ２は上記したようにバネ鋼板からなるためバネ性を有し、アンカー４の打ち込みの際も最小限の抵抗で打ち込むことができる。
【００２１】
したがって、上記した第１実施形態によれば、複数の長尺柱部材６の上端と複数の短尺柱部材７の上端との間に、地表Ｇから所定角度傾斜して架け渡された梁部材９上に複数の桟部材１０を直交して配置し、各桟部材１０上にパネル状の複数の太陽光発電モジュールＭｊを敷設するようにしたため、アンカー４を地盤に打ち込んで各コンクリートブロック１を固定することによって架台全体を地表Ｇに安定的に固定することができ、従来のように特殊な固定手段を別途必要とせず、安価かつ取り扱いが容易で、地面に堅牢に太陽光発電モジュールの設置架台を固定することができる。
【００２２】
（第２実施形態）
本考案に係る太陽光発電モジュールの設置架台構造の第２実施形態について、図８ないし図１３を参照して説明する。なお、図８ないし図１０はそれぞれ組み立て状態における設置架台の平面図、正面図、左側面図、図１１および図１２はそれぞれブロック体の平面図および正面図、図１３はブロック体の固定工程の説明図である。
【００２３】
本考案に係る太陽光発電モジュールの設置架台構造は、ビルなどのコンクリート構造物の屋上等に設置するタイプであり、図１１、図１２に示すように、ビルなどのコンクリート構造物のコンクリートが露出した屋上等の所定の設置箇所に配置される短い四角筒状の枠部材２０ａと、該枠部材２０ａの内部に充填されるモルタル２０ｃ中に埋設される十文字状の金属製補強部材２０ｂと、該補強部材２０ｂの中心部にその先端部分が前記モルタルから外部に露出して立設されたボルト２０ｄと、枠部材２０ａの上面を閉塞する蓋部材２０ｅを有するブロック体２０が複数個準備され、図８ないし図１０に示すように、これらのブロック体２０が、例えば２行Ｎ列（Ｎは自然数）のマトリクス状に地表Ｇに設置されて基礎ブロック部２１が形成される。なお、ブロック体２０の枠部材２０ａの対向する２つの面それぞれの下端にはフランジ２０ｆが形成されている。
【００２４】
そして、基礎ブロック部２１の各行毎の各ブロック体２０上にコ字状の金属製の基礎レール２２が架け渡され、基礎レール２２に透設された挿通孔に各ブロック体２０の露出したボルト２０ｂが挿通されてナットが締結され、これにより基礎レール２２がブロック体２０に固定されるとともに、これら一方行のブロック体２０上の基礎レール２２上に断面四角形の長尺柱部材２４が複数立設され、他方行のブロック体２０上の基礎レール２２上に、長尺柱部材２４と同様、断面四角形の短尺柱部材２５が複数立設される。
【００２５】
さらに、各列毎に、長尺柱部材２４の下端と短尺柱部材２５の下端との間に、各列における２個のブロック体２０の間隔よりも長い断面四角形の下梁部材２７が基礎レール２２に載置されるようにして架け渡され、各下梁部材２７が長尺柱部材２４、短尺柱部材２５及び基礎レール２２に固定されるとともに、各列毎に、長尺柱部材２４の上端と短尺柱部材２５の上端との間に、各列における２個のブロック体２０の間隔よりも長い断面四角形の上梁部材２８が架け渡されて両柱部材２４，２５にボルト等により固定され、行方向に直交方向に配置された各列毎の上梁部材２８が、地表から所定角度（例えば、３０度）傾斜して配置され、各梁部材９上にパネル状の複数の太陽光発電モジュールＭｊが配列状態で敷設される。なお、補強のため、各下梁部材２７のほぼ中央位置に、長尺柱部材２４よりも短く短尺柱部材２５よりも長い補強柱部材２９が立設され、これら補強柱部材２９それぞれの上端と各長尺柱部材２４それぞれの下端との間に斜めに補強棒３０が配設固定される。
【００２６】
ところで、ブロック体２０のコンクリート構造物の設置箇所への固定は、次のようにして行われる。すなわち、図１３に示すように、コンクリート構造物３２の屋上等に予め設定められた設置箇所において、コンクリート構造物３２の上面に設けられた防水層３３のうち、枠部材２０ａの両フランジ２０ｆを含む外寸より若干大なる長方形状の部分３３ａが剥離されて下地のコンクリートが露出され、剥離部分３３ａに枠部材２０ａ（フランジ２０ｆを含む）が収まるようにフランジ２０ｆが剥離部分３１ａ内に露出した下地のコンクリート上に載置されて枠部材２０が配置される。
【００２７】
そして、枠部材２０ａの内部にモルタル２０ｃが充填され、モルタル２０ｃが硬化する前に、ボルト２０ｄが固着された補強部材２０ｂをモルタル２０ｃの底部まで押し込んで埋設され、モルタル２０ｃが硬化するまで１週間ほど養生させ、その後枠部材２０ａに対して蓋部材２０ｅが装着され、ボルト２０ｄの先端部が露出した状態で枠部材２０ａの上面が閉塞され、ブロック体２０の設置が完了する。なお、このような作業が繰り返されて複数個のブロック体２０がコンクリート構造物の屋上等に設置される。
【００２８】
したがって、上記した第２実施形態によれば、複数個のブロック体２０を少なくとも２行Ｎ列（Ｎは自然数）のマトリクス状にコンクリート構造物３２の所定の設置箇所に固定設置して基礎ブロック部２１を形成し、各行ごとの各ブロック体間に架け渡されて固定された基礎レール２２に立設された各長尺柱部材２４の上端と各短尺柱部材２５の上端との間に設置箇所の表面から所定角度傾斜して架け渡された各上梁部材２８上にパネル状の複数の太陽光発電モジュールＭｊを敷設するようにしたため、コンクリート構造物３２のコンクリートが露出した設置箇所にモルタル２０ｃによって各ブロック体２０を固定することで架台全体を地面に安定的に固定することができ、従来のように特殊な固定手段を別途必要とせず、安価かつ取り扱いが容易で、コンクリート構造物３２の所定設置箇所に堅牢に太陽光発電モジュールの設置架台を固定することができる。
【００２９】
（第１の変形例）
上記した第１実施形態では、側面視が凸形状を有するコンクリートブロック１を予め準備しておき、地表Ｇの所定の設置場所に運んで設置する場合について説明したが、コンクリートブロックの運搬時の手間を簡素化するために、設置場所の現場においてコンクリートブロックを組み立て形成するようにしてもよい。
【００３０】
すなわち、図１４（ａ）〜（ｃ）に示すような平板状のコンクリート製の基礎板５１ａ、および図１５（ａ）〜（ｃ）に示すようなコンクリート製の縦壁部５１ｂを予め複数作成しておく。ここで、基礎板５１ａの四隅にアンカー４の挿通用の透孔５１ｃが形成され、縦壁部５１ｂには基礎板５１ａとの連結用ボルトの挿通孔５１ｄが２カ所形成されている。
【００３１】
そして、これら各基礎板５１ａおよび各縦壁部５１ｂを設置場所に運び、各基礎板５１ａをまず所定の位置にそれぞれ設置した後、各基礎板５１ａに縦壁部５１ｂを立設してモルタルにより各基礎板５１ａに各縦壁部５１ｂを接合し、ボルト挿通孔５１ｄにボルトを挿通して各基礎板５１ａと各縦壁部５１ｂとを固定し、図１６（ａ）〜（ｃ）に示すようなコンクリートブロック５１を組み立て形成する。
【００３２】
（第２の変形例）
第２の変形例として、図１４（ａ）〜（ｃ）に示すよう平板状のコンクリート製の基礎板５１ａに加えて、図１７（ａ）〜（ｃ）に示すようなコンクリート製の第１縦壁部５２ａと、図１８（ａ）〜（ｃ）に示すような第１縦壁部５２ａ上に載置可能なコンクリート製の第２縦壁部５２ｂを予め複数ずつ作成しておく。
【００３３】
このとき、第１、第２縦壁部５２ａ，５２ｂはいずれも第１の変形例の縦壁部５１ｂ（図１５参照）よりも高さが低く設定され、第１縦壁部５２ａの上面および第２縦壁部５２ｂの下面には、互いに嵌挿する凹溝５２ｃおよび凸条５２ｄがそれぞれ形成されるとともに、第１縦壁部５２ａには基礎板５１ａとの連結用ボルトの挿通孔５２ｅが２カ所形成される一方、第２縦壁部５２ｂには第１縦壁部５２ａの挿通孔５２ｅに連通するボルトの挿通孔５２ｆが２カ所形成されている。
【００３４】
そして、各基礎板５１ａ、第１、第２縦壁部５２ａ，５２ｂを設置場所に運んで各基礎板５１ａをまず所定の位置にそれぞれ設置した後、各基礎板５１ａに第１縦壁部５２ａを立設してモルタルにより接合し、続いて第１縦壁部５２ａの上に互いの凹溝５２ｃと凸条５２ｄとが嵌るように第２縦壁部５２ｂを載置してモルタルにより接合し、各挿通孔５２ｅ，５２ｆにボルトを挿通して各基礎板５１ａに各第１縦壁部５２ａおよび第２縦壁部５２ｂを固定し、図１９（ａ）〜（ｃ）に示すようなコンクリートブロック５２を組み立て形成する。
【００３５】
なお、本考案は上記した実施形態に限定されるものではなく、その趣旨を逸脱しない限りにおいて上述したもの以外に種々の変更を行うことが可能である。
【００３６】
上記した第１、第２実施形態では、２行Ｎ列にコンクリートブロック１およびブロック体２０を配列した場合について説明したが、Ｍ行Ｎ列（Ｍ，Ｎともに自然数）に配列するようにしても構わない。
【００３７】
上記した第１実施形態におけるアンカー４に代えて、単なる杭状のものを用いてもよいのは勿論である。
【符号の説明】
【００３８】
１，５１，５２    …コンクリートブロック
２，２１…基礎ブロック部
４    …アンカー
６，２４  …長尺柱部材
７，２５  …短尺柱部材
９  …梁部材
１０  …桟部材
２０  …ブロック体
２０ａ  …枠部材
２０ｂ  …補強部材
２０ｃ  …モルタル
２０ｄ  …ボルト
２２  …基礎レール
２８  …上梁部材
Ｍｊ…太陽光発電モジュール
Ｇ  …地表
【図１】
0003187095.tif 000003
【図２】
0003187095.tif 000004
【図３】
0003187095.tif 000005
【図４】
0003187095.tif 000006
【図５】
0003187095.tif 000007
【図６】
0003187095.tif 000008
【図７】
0003187095.tif 000009
【図８】
0003187095.tif 000010
【図９】
0003187095.tif 000011
【図１０】
0003187095.tif 000012
【図１１】
0003187095.tif 000013
【図１２】
0003187095.tif 000014
【図１３】
0003187095.tif 000015
【図１４】
0003187095.tif 000016
【図１５】
0003187095.tif 000017
【図１６】
0003187095.tif 000018
【図１７】
0003187095.tif 000019
【図１８】
0003187095.tif 000020
【図１９】
0003187095.tif 000021